(57)【要約】      （修正有）【課題】小さく折り畳んで運搬並びに保管が可能であるばかりか、組み立てが短時間で簡単にでき、鉢植え草花の出し入れが容易であるとともに確実に包装して目的地に搬送可能とする。【解決手段】板状に折り畳みまたは角筒状に拡設可能な胴部を有する包装箱本体と、胴部内の所定位置に架設される植木鉢を保持する嵌合孔３１を有する座板３とを備え、胴部を形成する少なくとも１つの側壁における一側に隣接する側壁との間に形成される折り曲げ部に上端から所定距離に至る第１の切離部が形成されているとともにもう一側に隣接する側壁との間に形成される折り曲げ部に上端からほぼ前記座板３の架設位置に至る第２の切離部５２が形成されており、且つ前記第１の切離部の終端と第２の切離部５２の終端との間に側壁開閉用の折り曲げ部５３が形成されている。【選択図】        図４
0003101979.tif 000002
【実用新案登録請求の範囲】
【請求項１】
下端辺に沿って底壁形成片が、上端辺に沿って頂壁形成片がそれぞれ折り曲げ可能に連設された複数の方形を呈する側壁が折り曲げ部を介して互いに横方向に連設された板状部材を横方向の一方端縁に沿って折り曲げ可能に突設した糊代をもう一方の横方向の端縁の内側に貼着するとともに前記各折り曲げ部の少なくとともに一部を折り曲げて板状に折り畳みまたは角筒状に拡設可能な胴部を有する包装箱本体と、前記包装箱本体における胴部内の所定位置に架設される被包装物である鉢植え草花の植木鉢を保持する嵌合孔を有する座板とからなる鉢植え草花用包装箱において、前記胴部を形成する少なくとも１つの側壁における一側に隣接す側壁との間に形成される折り曲げ部に上端から所定距離に至る第１の切離部が形成されているとともにもう一側に隣接する側壁との間に形成される折り曲げ部に上端からほぼ前記座板の架設位置に至る第２の切離部が形成されており、且つ前記第１の切離部の終端と第２の切離部の終端との間に側壁開閉用の折り曲げ部が形成されていることを特徴とする鉢植え草花用包装箱。
【請求項２】
前記第２の切離部が形成される側壁が、前記複数の側壁が折り曲げ部を介して互いに横方向に連設された板状部材において、端に位置する側壁の内で糊代を有していない側の側壁である請求項１記載の鉢植え草花用包装箱。
【請求項３】
前記第２の切離部の終端に横方向に延びる短尺の切込部が連設されており、前記第１の切離部の終端と前記切込部の終端との間に側壁開閉用の折り曲げ部が形成されている請求項１または２記載の鉢植え草花用包装箱。
【請求項４】
前記前記台座が、前記包装箱本体の胴部に内接する外周形状を有する多角形板でその外周に形成される各外周辺に沿って所定の高さを有する板状の脚片が折り曲げ可能に突設されているとともに前記脚片のうちの一つが前記包装箱本体における胴部内の所定位置に貼着されている請求項１，２または３記載の鉢植え草花用包装箱。
【考案の詳細な説明】
【技術分野】
【０００１】
本考案は、例えば、鉢植え草花用包装箱に関する。
【背景技術】
【０００２】
従来、鉢植え草花が贈答品として用いられるようになり、段ボールにより形成された包装箱に収容して送られており、近頃、宅配による搬送が普及したこととから、例えば朝顔市やほおずき市などにおいて販売されている朝顔やほおづきなどの鉢植え草花を直接持ち帰らずに自宅に配送することが行われるようになった。
【０００３】
そして、鉢植え草花用の段ボールにより形成された包装箱として、包装箱本体、植木鉢を支える台座、更には蓋体などを別部品とすることなしに一体化して保管、管理の煩わしさをなくすとともに、器具を用いることなしに容易に組み立てることができるものが提示されている。特許文献１参照）。
【０００４】
また、組み立てた状態で包装箱本体の側壁の一部を開閉可能として草花の様な被包装物の包装箱への出し入れを容易にしたものも提示されている（特許文献２及び特許文献３参照）。
【特許文献１】実開昭６３−１７７２２４号公報
【特許文献２】実開平４−７４８７２号公報
【特許文献３】特開平６−１６２８０号公報
【考案の開示】
【考案が解決しようとする課題】
【０００５】
ところが、前記実開昭６３−１７７２２４号公報に提示されている鉢植え草花用包装箱は、段ボールシートから切り出すときに台座を含めて側壁としてほぼ５枚分の面積を必要とするので経済面で問題があるとともに、組み立て前の折り畳んだ状態も側壁ほぼ３枚分を必要とし、保管や運搬にも支障を来すという問題もある。
【０００６】
一方、実開平４−７４８７２号公報に提示されている草花用の包装箱は、開閉部が二重であることから、前記実開昭６３−１７７２２４号公報に提示されている鉢植え草花用包装箱と同様にほぼ５枚分の側壁を切り出すための段ボールシートが必要であるとともにシート体から切り出した状態か組み立てた状態の嵩張った状態でしか保管することができず、広い保管場所が必要である。また、特開平６−１６２８０号公報に記載されている草花用の包装箱は、側壁に形成された開閉式の出入口が側壁の半分程度であり、出し入れし難く、特に鉢植え用の草花の場合には向かない。
【０００７】
また、特に、朝顔市やほおづき市のように短時間に多量の鉢植え用草花が取引され、出店のような狭い場所において多量の鉢植え草花を包装するには折り畳んだとときに場所を取らないばかりか、組み立てが簡単で、被包装物である鉢植え草花の出し入れが容易であるとともに確実に包装して搬送可能であることを要するが、前記従来の公報に提示されている包装箱はいずれもこれらの要件を満たすものではない。
【０００８】
本考案が解決しようとする課題は、小さく折り畳んで運搬並びに保管が可能であるばかりか、組み立てが短時間で簡単にでき、鉢植え草花の出し入れが容易であるとともに確実に包装して目的地に搬送可能な鉢植え草花用包装箱を提供するものである。
【課題を解決するための手段】
【０００９】
本考案は、下端辺に沿って底壁形成片が、上端辺に沿って頂壁形成片がそれぞれ折り曲げ可能に連設された複数の方形を呈する側壁が折り曲げ部を介して互いに横方向に連設された板状部材を横方向の一方端縁に沿って折り曲げ可能に突設した糊代をもう一方の横方向の端縁の内側に貼着するとともに前記各折り曲げ部の少なくとも一部を折り曲げて板状に折り畳みまたは角筒状に拡設可能な胴部を有する包装箱本体と、前記包装箱本体における胴部内の所定位置に架設される被包装物である鉢植え草花の植木鉢を保持する嵌合孔を有する座板とからなる鉢植え草花用包装箱において、前記胴部を形成する少なくとも１つの側壁における一側に隣接す側壁との間に形成される折り曲げ部に上端から所定距離に至る第１の切離部が形成されているとともにもう一側に隣接する側壁との間に形成される折り曲げ部に上端からほぼ前記座板の架設位置に至る第２の切離部が形成されており、且つ前記第１の切離部の終端と第２の切離部の終端との間に側壁開閉用の折り曲げ部が形成されている。
【００１０】
また、前記第２の切離部が形成される側壁が、前記複数の側壁が折り曲げ部を介して互いに横方向に連設された板状部材において、端に位置する側壁の内で糊代を有していない側の側壁とすることにより、比較的長く形成される第２の切離部を隣接する側壁に突設された糊代に沿わせて包装箱本体の強度の低下を防止する。
【００１１】
更に、前記第２の切離部の終端に横方向に延びる短尺の切込部が連設されており、前記第１の切離部の終端と前記切込部の終端との間に側壁開閉用の折り曲げ部を形成することにより、より大きな開閉部を形成することができる。
【００１２】
更にまた、前記台座が、前記包装箱本体の胴部に内接する外周形状を有する多角形板でその外周に形成される各外周辺に沿って所定の高さを有する板状の脚片が折り曲げ可能に突設されているとともに前記脚片のうちの一つが前記包装箱本体における胴部内の所定位置に貼着されている場合には、台座を含めて一体的に折り畳みおよび展開操作が可能であり、煩わしくないとともに短時間で組み立てることができる。
【考案の効果】
【００１３】
角筒状の胴部を押し潰して折り畳んだ状態で保管並びに運搬し、角筒状に拡設して各側壁の下端辺に沿って連設された底壁形成片を折り曲げて粘着テープなどにより固定して底壁を、各側壁の上端辺に沿って連設された頂壁形成片を折り曲げて粘着テープなどにより固定して頂壁をそれぞれ形成して箱状とし、胴部を形成する側壁の内、第１の切離部と第２の切離部との間に位置する側壁を第１の切離部の終端と第２の切離部の終端との間に形成されている折り曲げ部に沿って外側に折り曲げて開閉口を開口し、被包装物である鉢植え草花を挿入し、植木鉢部分を包装箱本体における胴部内の所定位置に座板に嵌合固定し、外側に折り曲げてあった側壁の一部を元の位置に戻して開閉口を閉じ、第１の切離部と第２の切離部を挟んで隣接し合う側壁同士をそれぞれ粘着テープなどで貼り合わせる。
【考案を実施するための最良の形態】
【００１４】
図面は本考案を実施するための最良の形態を示すものであり、鉢植え草花用包装箱１は、図１に示したように、段ボールまたは厚紙などの板状部材から切り出した包装箱本体２と、鉢植え草花の植木鉢を保持する座板３とから形成される。
【００１５】
包装箱本体２は、下端辺２１ａ，２２ａ，２３ａ，２４ａに沿って底壁形成片２１ｂ，２２ｂ，２３ｂ，２４ｂが、上端辺２１ｃ，２２ｃ，２３ｃ，２４ｃに沿って頂壁形成片２１ｄ，２２ｄ，２３ｄ，２４ｄがそれぞれ折り曲げ可能に連設された複数の方形を呈する側壁２１，２２，２３，２４が折り曲げ部２５ａ，２５ｂ，２５ｃを介して互いに横方向に連設され、横方向の一方端縁に沿って折り曲げ可能に突設した糊代２６が形成されている。
【００１６】
また、側壁２１における一側に隣接する側壁２２との間に形成される折り曲げ部２５ａに上端から所定距離に至る第１の切離部５１が形成されているとともにもう一側に隣接する側壁２４との間に形成される側壁２１の裏面における端縁下方に位置する糊代２６の接着部２１ｅとの間に側壁開閉用の折り曲げ部５３が形成されている。
【００１７】
更に、座板３は、前記包装箱本体２における各側壁２１，２２，２３，２４とほぼ同等の長さを有する辺からなる周形状を有する正方形板の座板本体３１の各外周辺に沿って所定の高さを有する板状の脚片３１ａ，３１ｂ，３１ｃ，３１ｄが折曲げ部３２ａ，３２ｂ，３２ｃ，３２ｄを介して折り曲げ可能に突設されているとともに中央に鉢植え草花の植木鉢を保持する切り込み付きの嵌合孔３２を有している。
【００１８】
尚、図面中、符号２７は側壁２２および２４に形成された三角形状の通気孔、符号２８は頂壁形成片２１ｄ，２２ｄ，２３ｄ，２４ｄにそれぞれ形成された丸形の通気孔、符号２９は側壁２１および２３に形成された取手用の長孔である。
【００１９】
座板３は、図２に示すように前記包装箱本体２における側壁２１の裏面に脚片３１ａの表面を重ねて接着剤により貼着されている。特に、脚片３１ａの突辺３２ａを側壁２１の下端辺２３ａに沿わせるとともに、折曲げ部３２ｂを側壁２２と側壁２３との間に形成される折り曲げ部２５ｂに、折曲げ部３２ｄを側壁２３と側壁２４との間に形成される折り曲げ部２５ｃにそれぞれ沿わせてて配置される。
【００２０】
内側面に座板３を装着した包装箱本体２は、側壁２１，２２，２３，２４が折り曲げ部２５ａ，２５ｂ，２５ｃにおいて折り曲げられて糊代２６の下部２６ａの表面を、側壁２１の裏面における端縁下方の接着部２１ｅに貼着させて図に示したように角筒状に形成され、図４に示すように角筒状の胴部４を押し潰して折り畳んだ状態で保管並びに運搬する。本実施の形態では台座３を含めて一体的に折り畳みおよび展開操作が可能であり、煩わしくないとともに短時間で組み立てることができる。
【００２１】
そして、本実施の形態を用いて包装をするには、まず、前記図４に示したように折り畳んだ状態で保管してある鉢植え草花用包装箱１を、図３に示すように角筒状に拡設するとともに、包装箱本体２内に配置してある座板３の折曲げ部３２ｂ，３２ｃ，３２ｄをそれぞれ内側にほぼ直角となるように折り曲げるとともに折り曲げ部３２ａの部分において座板本体３１をほぼ水平になるように折り曲げる。
【００２２】
次いで、図５に示すように、各側壁２１，２２，２３，２４の下端辺２１ａ，２２ａ，２３ａ，２４ａに沿って連設された底壁形成片２１ｂ，２２ｂ，２３ｂ，２４ｂを通常の段ボール箱を形成するのと同様な順序で折り曲げ、合わせ目を粘着テープなどの簡易な固定手段６１により固定して底壁２７を形成する。
【００２３】
このとき、ほぼ水平状態で包装箱本体２内に配置される座板３は、所定の位置に貼着されている脚片３１ａを除く他の脚片３１ｂ，３１ｃ，３１ｄの先端辺が底壁２７を形成する下端辺２１ａ，２２ａ，２３ａ，２４ａに当接して下方への荷重に対して安定した状態となる。
【００２４】
次に、図６に示すように、第１の切離部５１と第２の切離部５２との間に位置する側壁２１を第１の切離部５１の終端と第２の切離部５２の終端との間に形成されている折り曲げ部５３に沿って外側に折り曲げて開閉口７を開口し、被包装物である鉢植え草花８挿入し、植木鉢部分８１を包装箱本体２における胴部内の所定位置に配置した座板３のに嵌合孔３１に嵌合固定する。本実施の形態では折り曲げ部５３が斜めに形成されているので大きな開閉部を形成することができる。
【００２５】
そして、図７に示すように、第１の切離部５１と第２の切離部外側に折り曲げてあった側壁２１の一部を元の位置に戻して開閉口７を閉じ、第１の切離部５１と第２の切離部６２を挟んで隣接し合う側壁２１と側壁２２および側壁２１と側壁２４同士をそれぞれ粘着テープなどの固定具６２及び６３で貼り合わせる。このとき、糊代２６を有していない側の側壁２１の端を、比較的長く形成される第２の切離部５２としてを隣接する側壁２４に突設された糊代２６に沿わせて包装箱本体２の強度の低下を防止する。
【００２６】
最後に、各側壁２１，２２，２３，２４の上端辺２２ａ，２２ａ，２３ａ，２４ａに沿って連設された底壁形成片２１ｃ，２２ｃ，２３ｃ，２４ｃを通常の段ボール箱を形成するのと同様な順序で折り曲げ、合わせ目を粘着テープなどの簡易な固定手段６１により固定して頂壁３０を形成して包装を終了する。
【図面の簡単な説明】
【００２７】
【図１】本発明の好ましい実施の形態の切り出し図である。
【図２】図１に示した実施の形態の組み立て前の展開図である。
【図３】図１に示した実施の形態の使用状態を示す斜視図である。
【図４】図１に示した実施の形態の保管並びに運搬時の折り畳んだ状態を示す斜視図である。
【図５】図１に示した実施の形態の使用状態を示す斜視図である。
【図６】図１に示した実施の形態の使用状態を示す斜視図である。
【図７】図１に示した実施の形態の使用状態を示す斜視図である。
【符号の説明】
【００２８】
１  鉢植え草花用包装箱、２  包装箱本体、３  座板、４  胴部、２１，２２，２３，２４  側壁、２１ａ，２２ａ，２３ａ，２４ａ  下端辺、２１ｂ，２２ｂ，２３ｂ，２４ｂ  底壁形成片、２１ｃ，２２ｃ，２３ｃ，２４ｃ  上端辺、２１ｄ，２２ｄ，２３ｄ，２４ｄ  頂壁形成片、３２ａ，３２ｂ，３２ｃ，３２ｄ  折曲げ部、２６  糊代、３１  嵌合孔、５１  第１の切離部、５２  第２の切離部、５３  折り曲げ部
【図１】
0003101979.tif 000003
【図２】
0003101979.tif 000004
【図３】
0003101979.tif 000005
【図４】
0003101979.tif 000006
【図５】
0003101979.tif 000007
【図６】
0003101979.tif 000008
【図７】
0003101979.tif 000009